(57)【要約】【課題】  複数の印刷手段を備えた画像記録装置において、始めの印刷までの時間を犠牲にすることなく、消費電力を低減することができる画像記録装置を提供することを目的とする。【解決手段】  電源投入時に、まず、印刷ユニットＡ１４２のみが待機モードとし、他の印刷ユニット１４２は、スリープモードとなるように制御する（１００〜１０８）。また、印刷するための印刷データが所定量より少ない場合には、待機モードの印刷ユニットのみで印刷を行い（１１２〜１２２）、印刷するための印刷データが所定量以上である場合には、全ての印刷ユニットを印刷可能な通電状態に復帰させて印刷を行う（１２４〜１３８）。そして、印刷データ無し状態が所定時間以上経過した場合に、再び、１つに印刷ユニットを除く他の印刷ユニットをスリープモードとなるように制御する（１０８）。【選択図】        図７
2005088396.tif 000002
【特許請求の範囲】
【請求項１】
記録媒体に印刷を行うと共に、最低限の通電状態を含む少なくとも２以上の通電状態に切換可能な複数の印刷手段と、
前記複数の印刷手段のうち少なくとも１つの前記印刷手段を除く他の前記印刷手段が最低限の通電状態になるように前記複数の印刷手段の通電状態を制御する制御手段と、
を備えた画像記録装置。
【請求項２】
前記複数の印刷手段は、インクジェット方式、電子写真方式、及びサーマル方式を含む少なくとも１つの印刷方式からなることを特徴とする請求項１に記載の画像記録装置。
【請求項３】
前記制御手段は、予め定められた通電条件に基づいて前記複数の印刷手段の通電状態を制御することを特徴とする請求項１又は請求項２に記載の画像記録装置。
【請求項４】
前記制御手段は、予め定めた復帰条件に基づいて、最低限の通電状態とした印刷手段を印刷指示に応じて直ちに印刷可能な通電状態に復帰するように前記複数の印刷手段の通電状態をさらに制御することを特徴とする請求項１乃至請求項３の何れか１項に記載の画像記録装置。
【請求項５】
前記制御手段は、前記復帰条件として所定量以上の印刷を行う時に、最低限の通電状態とした前記印刷手段を印刷指示に応じて直ちに印刷可能な通電状態に復帰するように前記複数の印刷手段の通電状態を制御することを特徴とする請求項４に記載の画像記録装置。
【請求項６】
前記制御手段は、前記復帰条件として、印刷を行うための印刷データを解析し、最低限の通電状態とした印刷手段以外の印刷手段で印刷するための時間が所定時間以上必要な場合に、最低限の通電状態とした前記印刷手段を印刷指示応じて直ちに印刷可能な通電状態に復帰するように前記複数の印刷手段の通電状態を制御することを特徴とする請求項４に記載の画像記録装置。
【請求項７】
前記制御手段は、前記印刷手段を印刷指示に応じて直ちに印刷可能な通電状態に復帰した後に、所定時間前記復帰条件を満たさない場合に、再度、前記複数の印刷手段のうち少なくとも１つの前記印刷手段を除く他の前記印刷手段を、最低限の通電状態になるように前記複数の印刷手段の通電状態を制御することを特徴とする請求項４乃至請求項６の何れか１項に記載の画像記録装置。
【請求項８】
前記復帰条件を設定するための条件設定手段をさらに備えることを特徴とする請求項４乃至請求項７の何れか１項に記載の画像記録装置。
【請求項９】
前記通電条件を設定するための設定手段をさらに備えることを特徴とする請求項３乃至請求項７の何れか１項に記載の画像記録装置。
【発明の詳細な説明】
【技術分野】
【０００１】
本発明は、画像記録装置にかかり、特に、複数台の印刷ユニットを備える画像記録装置に関する。
【背景技術】
【０００２】
大量の印刷物を作成する場合などにおいて、複数台の印刷手段を並列的に配置し、これらの印刷手段に印刷ジョブを振り分け、これらの印刷手段を並列に動作させることにより、高速印刷を実現する並列処理型の画像記録装置が各社から提案されている（例えば、特許文献１〜４等）。
【０００３】
特許文献１に記載の技術では、印刷を行う印字部を複数備えた印刷装置において、印刷用紙上に印刷する多枚数印字データを入力する印字データ入力部と、各印字部に多枚数印字データを頁単位で振り分ける印字データ振り分け部と、複数の印字部のそれぞれに印刷用紙を搬送する給紙搬送部と、複数の印字部のそれぞれから排出される印刷用紙を搬送する排紙搬送部とを備えて、それぞれの印字部にタイミングをずらして印字データを振り分けて印刷し、１つの排紙部に集約して頁順に排紙されるように制御することが提案されている。このように制御することによって、複数の印字部を有する印刷装置において、排紙部を１つに集約して、コレート作業をなくし、かつ高速な印刷処理を可能とすることができる。
【０００４】
特許文献２に記載の技術では、複数台のエンジン部を上下方向に積み重ねて配設すると共に、供給排出搬送手段と、速度切換制御手段と、高速回転保持制御手段と、タイミング規制手段と、を設けて、印字データ量を各エンジン部に分担印字可能かつ各エンジン部から排出された印字済用紙を自機の搬送手段または共通排出搬送手段によって共通用紙受けに高速排出する。そして、各エンジン部から共通排出搬送手段に用紙が入ると各排出ローラの回転速度を高速に切換えることが提案されている。
【０００５】
特許文献３に記載の技術では、並列型プリンタシステムにおいて、印字部をユニット化して積載して構成することが提案されている。各ユニットは連結されて使用され、隣り合うそれぞれのユニット間で用紙の排出部を共有し、供給路を共通で使用できる構成とされている。これによって、高速印字が可能となる。
【０００６】
また、特許文献４に記載の技術では、印刷用紙を積載可能な複数の給紙トレイと、各給紙トレイから１枚ずつ印刷用紙を給紙する複数の給紙部と、各九紙部から給紙された印刷用紙に外部より供給される画像情報を元に画像を形成する複数の印字部と、各印字部により画像が形成された印刷済み用紙を所定の順序で１カ所に集めるべく搬送する排紙搬送部と、排紙搬送部により搬送された印刷済み用紙を積載可能な排紙トレイとを備え、各印字部と排紙搬送部との間に印刷済み用紙を、所定の時間補間して、所定時間経過後に当該印刷済み用紙を排紙搬送部に排出する複数の排紙スタック部を備えることが提案されており、このような構成とすることで高速印刷を可能としている。
【特許文献１】特開２００２−１０３７４９号公報（第１、５〜６頁、第１図）
【特許文献２】特開平０８−２１１６７３号公報（第１頁、第１図）
【特許文献３】特開２００２−１０３７３５号公報（第１頁、第４図）
【特許文献４】特開２００２−１０４７２４号公報（第１頁、第１図）
【発明の開示】
【発明が解決しようとする課題】
【０００７】
しかしながら、従来の画像記録装置では、印刷を行う複数の印刷手段を備えているため、待機時の消費電力が無視できない程大きくなる。印刷手段として電子写真方式を適用した場合はもとより、消費電力の比較的小さいインクジェット方式を適用したとしても、仮に５つの印刷手段を備えた場合、待機時の消費電力は１００ｗ近くになってしまう、という問題がある。
【０００８】
一方、待機時の消費電力低減のために、全部の印刷手段を最低限の通電状態（所謂スリープモード）にした場合には、最初の１枚の印刷（所謂ファースト頁プリント）が遅くなってしまう、という問題がある。
【０００９】
本発明は、上記問題を解決すべく成されたもので、複数の印刷手段を備えた画像記録装置において、最初の１枚の印刷（所謂ファースト頁プリント）の時間を犠牲にすることなく、消費電力を低減することができる画像記録装置を提供することを目的とする。
【課題を解決するための手段】
【００１０】
上記目的を達成するために請求項１に記載の発明は、記録媒体に印刷を行うと共に、最低限の通電状態を含む少なくとも２以上の通電状態に切換可能な複数の印刷手段と、前記複数の印刷手段のうち少なくとも１つの前記印刷手段を除く他の前記印刷手段が最低限の通電状態になるように前記複数の印刷手段の通電状態を制御する制御手段と、を備えることを特徴としている。
【００１１】
請求項１に記載の発明によれば、記録媒体に印刷を行う複数の印刷手段は、最低限の通電状態（所謂スリープモード）を含む少なくとも２以上の通電状態に切換可能とされている。すなわち、印刷を行わない場合等では、最低限の通電状態としておくことにより、印刷手段による消費電力を低減することが可能となる。
【００１２】
そして、複数の印刷手段のうち少なくとも１つの印刷手段を除く印刷手段が、最低限の通電状態となるように複数の印刷手段が制御手段によって制御される。なお、制御手段は、請求項３に記載の発明のように、予め設定された通電条件に基づいて複数の印刷手段を制御するようにしてもよい。例えば、予め定めた通電条件として、所定時間印刷を行わない場合に、少なくとも１つの印刷手段以外の印刷手段を最低限の通電状態とする。これによって、印刷を行わない場合の消費電力を低減することができる。
【００１３】
また、少なくとも１つの印刷手段以外の印刷手段を最低限の通電状態に制御しているときに、印刷指示が行われても、少なくとも１つの印刷手段は、最低限の通電状態ではないので、直ぐに印刷を行うことが可能となり、印刷開始時間を遅延させることがない。
【００１４】
従って、複数の印刷手段を備えた画像記録装置において、始めの印刷までの時間を犠牲にすることなく、消費電力を低減することができる。
【００１５】
なお、複数の印刷手段は、請求項２に記載の発明のように、インクジェット方式、電子写真方式、及びサーマル方式を含む少なくとも１つの印刷方式を適用することができる。
【００１６】
制御手段は、請求項４に記載の発明のように、予め定めた復帰条件に基づいて、最低限の通電状態とした印刷手段を印刷可能な状態に復帰するように複数の印刷手段の通電状態をさらに制御することによって、複数の印刷手段による印刷を行うことが可能となる。例えば、請求項５に記載の発明のように、復帰条件として所定量以上（例えば、予め定めたページ数以上）の印刷を行う時に、最低限の通電状態とした印刷手段を印刷可能な状態に復帰するようにしてもよいし、請求項６に記載の発明のように、印刷を行うための印刷データを解析して、最低限の通電状態とした印刷手段以外の印刷手段で印刷するための時間が所定時間以上必要な場合に、最低限の通電状態とした印刷手段を印刷指示に応じて直ちに印刷可能な通電状態に復帰するようにしてもよい。
【００１７】
また、制御手段は、請求項７に記載の発明のように、印刷手段を印刷可能な通電状態に復帰した後に、所定時間復帰条件を満たさない場合に、再度、複数の印刷手段のうち少なくとも１つの印刷手段を除く他の印刷手段を、最低限の通電状態になるように複数の印刷手段の通電状態を制御するようにしてもよい。
【００１８】
また、復帰条件は、請求項８に記載の発明のように、条件設定手段をさらに備えて復帰条件を設定可能としてもよい。さらに、通電条件についても、請求項９に記載の発明のように設定手段をさらに備えて、通電条件を設定可能としてもよい。
【発明の効果】
【００１９】
以上説明したように本発明によれば、複数の印刷手段を備えた画像記録装置において、少なくとも１つの印刷手段を除く他の印刷手段が最低限の通電状態となるように制御することによって、少なくとも１つの印刷手段によって直ぐに印刷が可能となると共に、最低限の通電状態とした印刷手段の消費電力を低減することができるので、最初の１枚の印刷までの時間を犠牲にすることなく、消費電力を低減することができる、という効果がある。
【発明を実施するための最良の形態】
【００２０】
以下、図面を参照して本発明の実施の形態の一例を詳細に説明する。
【００２１】
図１及び図２には、本発明の実施の形態に係わる画像記録装置が示され、図３及び図４には、本発明の実施の形態に係わる画像記録装置に適用される印刷ユニットが示されている。
【００２２】
図３（Ａ）に示すように、印刷ユニット１４２は外殻部としてケーシング１２を備えており、このケーシング１２は、装置の高さ方向（図３矢印Ｈ方向）に沿って扁平な直方体状に形成されている。ケーシング１２には、その底板部１３における幅方向（図３矢印Ｗ方向）に沿った一端側（図３（Ａ）では左側、以下、便宜上、印刷ユニット１４２及び排紙ユニット７０において左側を後端側、右側を先端側と呼称する。）にスリット状の排紙搬入口１６が穿設されると共に、天板部１４に排紙搬入口１６と正対するようにスリット状の排紙搬出口１８が穿設されている。またケーシング１２内には、底板部１３上に上面側が開口した筐体状のトレイである給紙ホッパ２０が配置されている。給紙ホッパ２０内には、１枚の記録紙Ｐ又は複数枚の記録紙Ｐが積層された記録紙の束（以下、これを、特に「記録紙Ｐ」と区別する必要がある場合には、「紙束Ｂ」という。）が収納可能とされている。
【００２３】
図３（Ａ）に示すように、給紙ホッパ２０内には、底板部２１上に平板状の積載板２２が配置されており、この積載板２２上には給紙ホッパ２０内に収納された記録紙Ｐが載置される。積載板２２は、幅方向に沿った一端部が底板部２１に揺動に可能に連結されると共に、コイルスプリング等の付勢部材２４により揺動端側が上方へ付勢されている。これにより、給紙ホッパ２０内に収納された記録紙Ｐは、その先端側が積載板２２からの押圧力を受けて上方へ付勢される。
【００２４】
給紙ホッパ２０は、ケーシング１２により奥行方向（図４矢印Ｄ方向）に沿って装着位置と補給位置との間でスライド可能に支持されている。ここで、給紙ホッパ２０は、ケーシング１２内の装着位置から補給位置へスライドすると、上面側の開口部が開放された状態となり、この開口部を通して記録紙Ｐを補給し、又は取り出すことが可能になる。また給紙ホッパ２０には、付勢部材２４に抗して積載板２２を拘束するための拘束機構（図示省略）が設けられており、この拘束機構は、給紙ホッパ２０の装着位置から補給位置へのスライドに連動して、積載板２２を底板部１３に近接した下限位置に揺動させて拘束する。また拘束機構は、給紙ホッパ２０の補給位置から装着位置へのスライドに連動して積載板２２を解放する。
【００２５】
図３（Ａ）に示すように、印刷ユニット１４２内には、給紙ホッパ２０の上側に上面側が開口した筐体状の排紙バッファ２６が配置されている。この排紙バッファ２６内には画像記録済みの印刷物Ｑが収納可能とされている。排紙バッファ２６内には、給紙ホッパ２０と同様に、その底板部２７上に平板状の積載板２８が揺動可能に配置されている。この積載板２８上には排紙バッファ２６内に収納された画像記録済みの印刷物Ｑが載置される。また積載板２８は、幅方向に沿って片側（図３では右側）の端部が底板部２７に揺動に可能に連結されると共に、コイルスプリング等の付勢部材３０により揺動端側が上方へ付勢されている。これにより、排紙バッファ２６内に収納された画像記録済みの印刷物Ｑは、その先端側が積載板２８からの押圧力を受けて上方へ付勢される。なお、排紙バッファ２６内では、画像記録済みの印刷物Ｑの先端の向きが給紙ホッパ２０内の記録紙Ｐとは逆になっている。
【００２６】
排紙バッファ２６には、底板部２７の下面側に付勢部材３０に抗して積載板２８を揺動方向に沿った下限位置に移動させ、拘束するためのアクチュエータ（図示省略）が配置されており、このアクチュエータは、排紙バッファ２６内に画像記録済みの印刷物Ｑを受け入れる際に、積載板２８を底板部２７に近接した下限位置に揺動させて拘束し、排紙バッファ２６内への画像記録済みの印刷部Ｑの受入完了後に積載板２８を解放する。
【００２７】
図３（Ａ）に示すように、印刷ユニット１４２内には、給紙ホッパ２０の上方であって、幅方向に沿って排紙バッファ２６に隣接する部位に印刷部３４が配置されている。印刷部３４には、奥行方向と平行な主走査方向（図４矢印Ｓ方向）に延在するガイドロッド３６が設けられると共に、このガイドロッド３６により主走査方向に沿って移動可能に支持されたインクジェットヘッド３８が設けられている。また印刷部３４には、記録紙Ｐに対する画像記録時にインクジェットヘッド３８を所定の主走査速度で往復移動させるヘッド駆動機構（図示省略）が設けられている。
【００２８】
図３（Ａ）に示すように、印刷部３４には、主走査方向と直交する副走査方向に沿ってインクジェットヘッド３８を挟むようにニップローラ対４０及びローラ対４２が配置されると共に、これらのローラ対４０、４２間にインクジェットヘッド３８の下面部との間に隙間を形成するプラテン４４が配置されている。これらのニップローラ対４０及びローラ対４２は、記録紙Ｐを所定の速度で副走査方向（図４矢印Ｆ方向）へ搬送する。
【００２９】
ここで、インクジェットヘッド３８には、その下面部分に主走査方向に沿って記録すべき画像の画素密度に対応するピッチで配設された複数のノズル（図示省略）が設けられており、インクジェットヘッド３８は、ヘッド駆動機構により主走査方向へ移動しつつ、デジタル化された画像情報に基づいて各ノズルからインクを噴射及び噴射停止することで、ニップローラ対４０及びローラ対４２により副走査方向へ搬送される記録紙Ｐ上に画像情報に対応する画像を形成する。なお、インクジェットヘッド３８は、略記録紙幅の所謂フルラインタイプのものを適用するようにしてもよいし、その他の構成を適用するようにしてもよい。また、ここでは、インクジェット方式の記録ヘッドを適用するが、サーマル等の他の方式の記録ヘッドを採用するようにしてもよい。さらに、複数の印刷ユニットでそれぞれ別々の方式の記録ヘッドを採用するようにしてもよい。
【００３０】
図３（Ａ）に示すように、印刷ユニット１４２には、給紙ホッパ２０の上方に円筒状の分離給紙ローラ４６が配置されている。この分離給紙ローラ４６は、給紙ホッパ２０内に収納され積載板２２により上方へ付勢された記録紙Ｐ（紙束Ｂ）上面の先端側に圧接する。また印刷ユニット１４２には、分離給紙ローラ４６とニップローラ対４０との間に一定の間隔を空けて互いに対向する一対の印刷ガイド板４８、５０が配置されており、一対の印刷ガイド板４８、５０はそれぞれＵ字状に湾曲しており、これら一対の印刷ガイド板４８、５０間には、１枚の記録紙Ｐをニップローラ対４０へ案内するための印刷ガイド路５２が形成されている。
【００３１】
印刷ユニット１４２では、インクジェットヘッド３８に記録紙Ｐを供給する際には、給紙ホッパ２０内の記録紙Ｐに圧接した分離給紙ローラ４６を所定量回転させる。これにより、給紙ホッパ２０内からは１枚の記録紙Ｐが分離され、この１枚の記録紙Ｐは分離給紙ローラ４６からの搬送力により印刷ガイド路５２に沿ってニップローラ対４０へ搬送される。なお、印刷ガイド路５２の路長が比較的長く、分離給紙ローラ４６からの搬送力だけでは記録紙Ｐを確実にニップローラ対４０まで搬送できない場合には、印刷ガイド路５２にはその途中に搬送ローラ対を配置し、この搬送ローラ対により印刷ガイド路５２の途中まで搬送されてきた記録紙Ｐをニップローラ対４０まで搬送するようにしても良い。
【００３２】
図３（Ａ）に示すように、印刷ユニット１４２には、排紙バッファ２６の上方に円筒状の分離排紙ローラ５４が配置されている。この分離排紙ローラ５４は、排紙バッファ２６内に収納され積載板２８により上方へ付勢された画像記録済みの印刷物Ｑ（印刷物の束Ｃ
）上面の後端側に圧接する。また印刷ユニット１４２には、分離排紙ローラ５４から後端側へ延出する一対の分岐ガイド板５６、５８が配置されており、一対の分岐ガイド板５６、５８は、一定の間隔を空けて互いに対向するように支持されている。これら一対の分岐ガイド板５６、５８間には、１枚の画像記録済みの印刷物Ｑを後述する排紙ガイド路６６へ案内するための分岐ガイド路６０が形成されている。
【００３３】
印刷ユニット１４２内には、後端部に上下方向へ延在する一対の排紙ガイド板６２、６４が配置されており、一対の排紙ガイド板６２、６４は一定の間隔を空けて互いに対向するように支持されている、これらの一対の排紙ガイド板６２、６４間には、１枚の画像記録済みの印刷物Ｑを後述する排紙ユニット７０へ案内するための排紙ガイド路６６が形成されている。排紙ガイド路６６は、ケーシング１２に形成された排紙搬入口１６と排紙搬出口１８とを繋げている。また印刷ユニット１４２には、排紙ガイド路６６に沿って画像記録済みの印刷物Ｑを排紙ユニット７０側へ搬送するための搬送ローラ対６８が設置されている。この搬送ローラ対６８は、少なくとも排紙ガイド路６６の上端部及び下端部にそれぞれ配置されており、排紙ガイド路６６の路長、記録紙Ｐの長さ等に応じて排紙ガイド路６６の上端部と下端部との間に適宜配置される。
【００３４】
図３（Ａ）に示すように、印刷ユニット１４２内には、排紙ガイド路６６と反対側の端部（先端部）に高さ方向に沿って延在する一対の給紙ガイド板１５０、１５２が配置されており、この給紙ガイド板１５０、１５２の間は、印刷ユニット１４２を高さ方向に沿って貫通するスリット状の給紙ガイド路１４４とされている。また印刷ユニット１４２のケーシング１２には、底板部１３及び天板部１４にそれぞれスリット状の給紙搬入口１５４及び給紙搬出口１５６（図４参照）が形成されており、給紙ガイド路１４４は、ケーシング１２内で給紙搬入口１５４及び給紙搬出口１５６とを繋いでいる。また給紙ガイド路１４４の下端部及び上端部には、それぞれ搬送ローラ対１５８が配置されている。
【００３５】
印刷ユニット１４２には、給紙ガイド路１４４から給紙ホッパ２０側へ分岐する分岐ガイド路１４８が設けられており、搬送ローラ対１５８からの搬送力を受けて給紙ホッパ２０内へ記録紙Ｐが収納されるようになっている。
【００３６】
印刷ユニット１４２には、給紙ガイド路１４４の分岐ガイド路１４８との分岐点付近にガイドレバー１４６が設けられている。このガイドレバー１４６には、図３（Ｂ）に示すように、一端部に揺動中心となる支軸部１４７が設けられており、この支軸部１４７は一方の給紙ガイド板１５０に配置された軸受部（図示省略）により軸支されている。ここで、ガイドレバー１４６は、実線で示される給紙位置と２点鎖線で示される上部の印刷ユニット１４２へ記録紙Ｐを搬送する搬送位置との範囲で回動可能とされている。またガイドレバー１４６はロータリアクチュエータ（図示省略）が連結されており、このロータリアクチュエータにより給紙位置及び搬送位置の何れかの位置に回動し保持される。
【００３７】
画像記録装置１４０は、図１及び図２に示すように、最下段に給紙ユニット１７０を備えており、この給紙ユニット１７０上に印刷ユニット１４２及び排紙ユニット７０が積み重ねられて構成されている。ここで、給紙ユニット１７０は、記録紙Ｐを各印刷ユニット１４２における給紙ホッパ２０内へ補給するためのものである。
【００３８】
図１に示すように、給紙ユニット１７０は外殻部としてケーシング１７２を備えており、このケーシング１７２の幅方向及び奥行方向に沿ったサイズは、印刷ユニット１４２のケーシング１２と略一致している。ケーシング１７２には、その上面部における先端側にスリット状の給紙搬出口１７４（図２参照）が開口しており、この給紙搬出口１７４は、給紙ユニット１７０の上段側に隣接する印刷ユニット１４２の給紙搬入口１５４に接続される。
【００３９】
ケーシング１７２内部には、複数枚の記録紙Ｐが積載された紙束Ｂが収納可能とされたメイン給紙ホッパ１７６が配置されている。このメイン給紙ホッパ１７６は、各印刷ユニット１４２の給紙ホッパ２０と同様に、ケーシング１７２により奥行方向に沿って装着位置と補給位置との間でスライド可能に支持されている。ここで、メイン給紙ホッパ１７６は、ケーシング１７２内の装着位置から補給位置へスライドすると、上面側の開口部が開放された状態となり、この開口部を通して記録紙Ｐ（紙束Ｂ）を補給し、又は取り出すことが可能になる。
【００４０】
メイン給紙ホッパ１７６内には、収納した紙束Ｂが積載される積載トレー１７８及び、この積載トレー１７８を高さ方向に沿って昇降可能に支持した昇降機構（図示省略）が配置されている。またケーシング１７２内には、メイン給紙ホッパ１７６の上方に分離給紙ローラ１８０が配置されており、この分離給紙ローラ１８０は、そのローラ面が積載トレー１７８上に積載された紙束Ｂ上面の先端側に対向するように支持されている。昇降機構は、メイン給紙ホッパ１７６の装着位置から補給位置へのスライドに連動して、積載トレー１７８をケーシング１７２の底板部に近接した下限位置に移動させ、またメイン給紙ホッパ１７６の補給位置から装着位置へのスライドに連動して積載トレー１７８を上昇させ、積載トレー１７８上の紙束Ｂを所定の圧接力で分離給紙ローラ１８０に圧接させる。
【００４１】
図１に示すように、ケーシング１７２内には、給紙搬出口１７４から分離給紙ローラ１８０側へ延出する接続ガイド路１８２が設けられており、この接続ガイド路１８２の先端部は、分離給紙ローラ１８０の紙束Ｂとの圧接部に面して開口している。これにより、分離給紙ローラ１８０が所定量だけ回転すると、分離給紙ローラ１８０により積載トレー１７８上の紙束Ｂから１枚の記録紙Ｐが分離され、この記録紙Ｐの先端側が接続ガイド路１８２内へ送り込まれる。
【００４２】
なお、メイン給紙ホッパ１７６内に配置される積載トレー１７８は１個に限定されず、複数個の積載トレー１７８をメイン給紙ホッパ１７６内に配置し、各積載トレー１７８にそれぞれ異なる種類の記録紙Ｐを積載し、複数の積載トレー１７８の何れかに積載された複数種類の記録紙Ｐから選択された１種類の記録紙Ｐを接続ガイド路１８２内へ送り込むようにしても良い。
【００４３】
図１に示すように、本実施形態に係る画像記録装置１４０は、１台以上（図１では２台）の印刷ユニット１４２と排紙ユニット７０とが高さ方向に沿って積み重ねられて構成されている。ここで、排紙ユニット７０は、印刷ユニット１４２により画像が記録された印刷物Ｑを受け入れて一時保管するためのものであり、画像記録装置１４０における最上段に配置される。
【００４４】
排紙ユニット７０は外殻部としてケーシング７４を備えており、このケーシング７４の幅方向及び奥行方向に沿ったサイズは、印刷ユニット１４２のケーシング１２と略一致している。ケーシング７４には、その下面部における後端側にスリット状の排紙半有口７６（図２参照）が開口しており、この排紙搬入口７６は、排紙ユニット７０の下段側に隣接するように配置された印刷ユニット１４２の排紙搬出口１８に接続される。ケーシング７４の上面部には、複数枚の画像記録済みの印刷物Ｑが積載可能とされた排紙トレイ７８が設けられている。排紙トレイ７８には、排紙搬入口７６側の一端部から他端側へ向って上方へ傾斜する積載面８０が形成されると共に、この積載面８０の一端部から略垂直に立ちあがる位置決め面８２が形成されている。この位置決め面８２の上端側にはスリット状の排紙搬出口８４が開口しており、ケーシング７４内には、排紙搬出口８４と排紙搬入口７６とを繋ぐ受入ガイド路８６が設けられている。また排紙ユニット７０には、受入ガイド路８６の排紙搬出口８４側の端部に搬出ローラ対８８が配置されている。
【００４５】
図１に示すように、排紙ユニット７０の下段側に配置された印刷ユニット１４２は、下段側に他の印刷ユニット１４２が配置されている場合には、その排紙搬入口１６が下段側の印刷ユニット１４２の排紙搬出口１８に接続され、また上段側に他の印刷ユニット１４２が配置されている場合には、その排紙搬出口１８が上段側の印刷ユニット１４２の排紙搬出口１６に接続される。これにより、排紙ユニット７０の下段側に複数の印刷ユニット１４２が配置されている場合には、各印刷ユニット１４２の排紙ガイド路６６が互いに接続され、これらの排紙ガイド路６６は、各印刷ユニット１４２を貫通するように高さ方向に延在し、上端部が排紙ユニット７０の受入ガイド路８６に接続される１本の排紙経路を構成する。
【００４６】
本実施形態に係る画像記録装置１４０は、図２に示されるように、上段側の排紙ユニット７０、印刷ユニット１４２を上方へ持ち上げるだけで、簡単に下段側の印刷ユニット１４２、給紙ユニット１７０から分離できる。従って、画像記録装置１４０では、印刷ユニット１４２を他の印刷ユニット１４２から分離し、又は排紙ユニット７０を下段側の印刷ユニット１４２から分離した状態とすれば、１台乃至複数台の印刷ユニット１４２を他の印刷ユニット１４２の間又は印刷ユニット１４２と排紙ユニット７０との間に挿入し、あるいは印刷ユニット１４２の間又は印刷ユニット１４２と排紙ユニット７０との間から１台乃至複数台の印刷ユニット１４２を抜き取ることが可能になっている。これにより、画像記録装置１４０では、装置を構成する印刷ユニット１４２の台数を簡単に増減でき、印刷ユニット１４２の台数を増減することにより、装置全体としての印刷速度を含む印刷能力を調整できる。
【００４７】
続いて、本実施形態の画像記録装置１４０の制御系の構成について図５を参照して説明する。図５は、画像記録装置１４０の制御系の構成を示すブロック図である。
【００４８】
本実施形態の画像記録装置１４０は、ＣＰＵ、ＲＯＭ、及びＲＡＭ等を備えたマイクロコンピュータで構成されたメイン制御部１０を有している。メイン制御部１０は、例えば、給紙ユニット１７０に設けるようにしてもよいし、他のユニットに設けるようにしてもよい。
【００４９】
メイン制御部１０には、入出力インタフェース（Ｉ／Ｆ）１１が接続されている。入出力Ｉ／Ｆ１１には、通信制御部９２、エラー検出センサ９４、給紙制御部９６、排紙を制御するための排紙制御部９８、画像記録装置１４０の各種操作を行うための操作パネル９９及び複数の印刷制御部９０（９０Ａ、９０Ｂ等）が接続されており、当該メイン制御部１０によって、画像記録装置１４０の各種動作が制御されるようになっている。また、メイン制御部１０は、各ユニットへの電源の通電状態を制御するようになっている。
【００５０】
通信制御部９２は、ネットワーク等を介して外部機器（例えば、ホストコンピュータ等）に接続され、画像記録装置１４０と外部機器との通信を制御する。例えば、ホストコンピュータ等からの印刷要求を受けて画像記録装置１４０で印刷を行うための通信制御を行うようになっている。
【００５１】
エラー検出センサ９４は、画像記録装置１４０内で発生するエラーを検出する。例えば、画像記録装置１４０内の記録紙搬送経路等に設けられた記録紙の移動等を検出するための各種センサや印刷部のインク残量等を検出する残量検出センサ等で構成されており、各種センサの検出結果から画像記録装置１４０で発生する記録紙の詰まり（ジャム）やインク切れ等のエラーを検出するようになっている。
【００５２】
給紙制御部９６は、給紙ユニット１７０の動作を制御し、給紙ユニット１７０に収納された記録紙Ｐを各印刷ユニット１４２に供給するための制御を行うようになっている。また、給紙制御部９６は、メイン制御部１０からの指示を受けて、給紙ユニット１７０の記録紙を搬送するための搬送駆動系のモータや給紙ユニット１７０に設けられたインジケータなどを含む表示装置等への通電状態を切換えることが可能とされ、例えば、搬送駆動系のモータを動作するための通電状態と、最低限の通電状態等に切換えることが可能とされている。なお、給紙制御部９６は、給紙ユニット１７０に設けるようにしてもよいし、他の部位に設けるようにしてもよい。
【００５３】
排紙制御部９８は、排紙ユニット７０の動作を制御し、各印刷ユニット９０で印刷が行われた記録紙Ｐを排紙トレイ７８に排出するようになっている。また、排紙制御部９８も給紙制御部９６と同様に、メイン制御部１０からの指示を受けて、給紙ユニット１７０の記録紙を搬送するための搬送駆動系のモータや排紙ユニット７０に設けられたインジケータなどを含む表示装置等への通電状態を切換えることが可能とされ、例えば、搬送駆動系のモータを動作するための通電状態と、最低限の通電状態等に切換えることが可能とされている。なお、排紙制御部９８は、排紙ユニット７０に設けるようにしてもよいし、他の部位に設けるようにしてもよい。
【００５４】
印刷制御部９０は、各印刷ユニット１４２の印刷動作を制御する。例えば、印刷制御部９０は、各印刷ユニット１４２の記録紙搬送系を制御して印刷部３４への記録紙搬送を制御し、印刷部３４の印刷動作を制御する。そして、印刷終了後には、各印刷ユニット１４２の排紙動作を制御する。また、印刷制御部９０も給紙制御部９６及び排紙制御部９８と同様に、印刷ユニット１４２に設けられた各装置への通電状態を制御することが可能とされている。例えば、図６に示すように、印刷制御部９０は、入出力Ｉ／Ｆ１６０を介して、印刷ユニット１４２に設けられて、インクジェットヘッド３８等を往復運動させるための主走査駆動系モータ１５０、記録紙を搬送するための副走査駆動系モータ１５２、印刷済みの記録紙を乾燥させるための記録紙乾燥ヒータ１５４（記録紙乾燥ヒータ１５４は装置のコスト低減のために備えなくてもよい）、及び各種インジケータや液晶等を含む表示装置１５６に接続されており、印刷制御部９０の指示に応じて、主走査駆動系モータ１５０、副走査駆動系モータ１５２、記録紙乾燥ヒータ１５４、及び表示装置１５６のそれぞれへの通電状態が切換可能とされている。通電状態の切換は、例えば、それぞれの装置を駆動可能な通電状態（以下、待機モードという）と、最低限の通電状態（以下、スリープモードという）等に切換が可能とされている。
【００５５】
なお、印刷制御部９０は、各印刷ユニット１４２に設けるようにしてもよいし、給紙ユニット１７０等の他の部位に設けるようにしてもよい。また、各印刷ユニット１４２における給紙動作は、給紙制御部９６が制御するようにしてもよいし、同様に各印刷ユニット１４２における排紙動作は、排紙制御部９８が制御するようにしてもよい。
【００５６】
メイン制御部１０は、通信制御部９２を介して外部のホストコンピュータ等から印刷指示がなされると、印刷データを受信して各印刷ユニット１４２の印刷制御部９０に印刷データを割振る。そして、このとき、印刷の進捗状態を管理するようになっている。
【００５７】
また、操作パネル９９は、テンキー等を備え、画像記録装置１４０を動作させるための操作や、画像記録装置１４０の各種設定等を設定可能とされており、例えば、上述のスリープモードへ移行する時間や、スリープモードから待機モードへ復帰するための条件等を設定することが可能とされている。操作パネル９９は、例えば、最上段に位置する排紙ユニット７０等に設けてもよいし、印刷ユニット１４２や排紙ユニット１７０に設けるようにしてもよい。また、各ユニットにそれぞれ設けて、それぞれのユニットの操作や設定を行うようにしてもよい。これらの各種設定は、操作パネル９９の他に、外部のコンピュータ等にインストールされるプリンタドライバ等を用いて設定することも可能とされている。
【００５８】
なお、印刷ユニット１４２及び印刷制御部９０が、本発明の印刷手段に相当し、メイン制御部１０が本発明の制御手段に相当する。
【００５９】
次に、上述のように構成された画像記録装置の動作について図７のフローチャートを参照して説明する。なお、図７は、メイン制御部１０で行われる動作の流れを示すフローチャートである。また、以下の説明では、印刷ユニット１４２を５つ（印刷ユニットＡ〜Ｅ）備えた例について説明する。
【００６０】
まず、ステップ１００では、電源オンか否かが判定される。該判定は、例えば、排紙ユニット７０やその他のユニットに設けられた画像記録装置１４０を起動するためのスイッチがオンされたか否かを検出することによってなされ、該判定が肯定されるまで待機する。すなわち、詳細には電源が投入された時点でメイン制御部１０の本処理が開始される。
【００６１】
ステップ１０２では、各印刷ユニット１４２、給紙ユニット１７０、及び排紙ユニット７０の初期化が行われる。例えば、印刷ユニット１４２や給紙ユニット１７０では、記録紙の有無等が検出され、印刷ユニット１４２では、インクジェットヘッド３８のホームポジションの確認動作等が行われる。
【００６２】
ステップ１０４では、各ユニットの自己診断が行われる。例えば、記録紙の搬送経路等に設けられた記録紙を検出するためのセンサ等の信号に基づいて、記録紙の詰まり等を検出したり、インクジェットヘッド３８におけるインクの詰まりを防止するためのダミージェット等が必要に応じて行われる。
【００６３】
ステップ１０６では、印刷ユニットＡ１４２が待機モード（印刷を直ぐに行うことが可能な通電状態）に設定される。例えば、待機モードは、印刷ユニットＡ１４２のインクジェットヘッド３８を往復運動させるための主走査駆動系モータ１５０や記録紙を搬送するための副走査駆動系モータ１５２等をホールド状態に維持したり、インクジェットヘッド３８から吐出されたインクを短時間で乾燥させるための記録紙乾燥ヒータ１５４等を暖めるための電力を供給したり、表示装置１５６等の表示部に画像記録装置の状態を表示するための電力を供給したり、印刷指示に応じて直ちに印刷が可能な通電状態に設定される。
【００６４】
ステップ１０８では、印刷ユニットＡ１４２を除く印刷ユニット１４２（印刷ユニットＢ〜Ｅ）がスリープモード（必要最低限の通電状態）に設定される。例えば、スリープモードは、インクジェットヘッド３８を往復運動させるための主走査駆動系モータ１５０や記録紙を搬送するための副走査駆動系モータ１５２等のホールド状態を解除したり、記録紙乾燥ヒータ１５４への電力供給を停止したり、表示部１５６の表示を消したりするなど、電力供給を必要最低限の状態に制御する。これによって、印刷を行わない待機時の消費電力を最小限に抑えることができる。
【００６５】
続いて、ステップ１１０では、印刷データを受信したか否かが判定される。該判定は、外部のコンピュータ等から通信制御部９２を介して画像記録装置１４０で印刷するための印刷データを受信したか否かを判定することによってなされ、該判定が肯定されるまで待機してステップ１１２へ移行する。
【００６６】
ステップ１１２では、印刷データが所定量以上か否か判定される。該判定は、受信した印刷データが所定量以上か否かを判定することによってなされ、例えば、受信した印刷データが５ページ以上か否かを判定することによってなされる。なお、ステップ１１２の判定は、受信した印刷データを解析し、印刷ユニットＡ１４２のみで印刷を行う場合の印ｓつ所要時間が所定時間以上必要か否かを判定するようにしてもよい。また、ステップ１１２の判定条件としての所定量や上記所定時間は、本発明の復帰条件に相当し、印刷データを送信するコンピュータ等にインストールされたプリンタドライバや画像記録装置１４０に設けられた操作パネル９９等によって適宜設定可能とされている。
【００６７】
ステップ１１２の判定が否定された場合には、ステップ１１４へ移行して、待機モードの状態にある印刷ユニットＡ１４２へ印刷データが送信される。詳細には、印刷ユニットＡ１４２を制御する印刷制御部９０に印刷データが送信されて、ステップ１１６へ移行して、待機モード状態にある印刷ユニットＡ１４２のみによる印刷が行われる。すなわち、全ての印刷ユニット１４２をスリープモードにしてはいないので、待機モード状態にある印刷ユニットＡ１４２によって直ぐに印刷を開始することができる。
【００６８】
ステップ１１８では、印刷された記録紙が印刷ユニットＡ１４２の印刷部３４から印刷ユニットＡ１４２の排紙バッファ２６に排出され、ステップ１２０へ移行して、排紙バッファ２６から排紙ユニット７０に印刷が行われた記録紙が排出される。
【００６９】
そして、ステップ１２２では、印刷終了か否かが判定され、該判定が否定された場合には、ステップ１１６に戻って、印刷が修了するまで上述の処理が繰り返され、印刷が終了した時点でステップ１４４へ移行する。
【００７０】
一方、ステップ１１２の判定が肯定された場合、すなわち、印刷データが所定量以上の場合には、ステップ１２４へ移行する。
【００７１】
ステップ１２４では、全ての印刷ユニット１４２が待機モードか否か判定される。すなわち、印刷ユニットＢ〜Ｅのスリープモードが解除された状態か否かが判定され、該判定が否定された場合には、ステップ１２６へ移行して、スリープモードの状態にある印刷ユニットＢ〜Ｅのスリープモードが解除されて全ての印刷ユニット１４２が待機モードに設定され、ステップ１２８へ移行する。
【００７２】
一方、ステップ１２４の判定が肯定された場合には、既に、全ての印刷ユニット１４２が待機モードであるため、そのままステップ１２８へ移行する。
【００７３】
ステップ１２８では、各印刷ユニット１４２への印刷データの割振りが行われる。すなわち、全ての印刷ユニット１４２を用いて印刷を行うため、印刷データが各印刷ユニット１４２に割振られステップ１３０へ移行して、印刷データに基づく印刷が各印刷ユニット１４２の印刷部３４で行われる。このとき、印刷ユニットＡ１４２は既に待機モードであるので、先行して印刷を開始することによって、印刷を直ぐに開始することができ、印刷開始までの時間を短縮することが可能となる。
【００７４】
ステップ１３２では、印刷された記録紙が各印刷ユニット１４２の印刷部３４から各印刷ユニット１４２の排紙バッファ２６に排出され、ステップ１３４へ移行して、各印刷ユニット１４２による印刷が終了したかが否か判定され、終了するまでステップ１３０〜ステップ１３４の処理が繰り返され、各印刷ユニット１４２による印刷が終了した時点で、ステップ１３６へ移行する。
【００７５】
ステップ１３６では、各印刷ユニット１４２の排紙バッファ２６から印刷済みの記録紙が排紙ユニット７０に予め定められたページ順で排出される。
【００７６】
そして、ステップ１３８では、全ての印刷データについて印刷が終了したかが否か判定され、該判定が否定された場合には、ステップ１３０に戻って、ステップ１３８の判定が肯定されるまで上述の処理が繰り返され、ステップ１３８の判定が肯定されたところでステップ１４０へ移行する。
【００７７】
続いて、ステップ１４０では、印刷データ無し状態が所定時間（例えば、１０分等）以上経過したか否か判定される。なお、所定時間は本発明の通電条件に相当し、印刷データを送信するコンピュータ等にインストールされたプリンタドライバや画像記録装置１４０に設けられた操作パネル９９等によって適宜設定可能とされている。
【００７８】
ステップ１４０の判定が肯定された場合、すなわち、印刷データが所定時間以上経過しても受信しない場合には、上述のステップ１０８へ移行して、印刷ユニットＡ１４２を除く印刷ユニット１４２がスリープモードに再び設定され、上述の処理が行われる。これによって、待機時の消費電力を最小限に抑えることができる。
【００７９】
一方、ステップ１４０の判定が否定、すなわち印刷データを所定時間経過する前に受信した場合には、ステップ１４２へ移行して、各印刷ユニット１４２を待機モードに継続設定し、ステップ１４４へ移行する。
【００８０】
ステップ１４４では、電源オフか否か判定される。該判定は、例えば、排紙ユニット７０やその他のユニットに設けられた画像記録装置１４０を起動するためのスイッチがオフされたか否かを検出することによってなされ、該判定が否定された場合には、上述のステップ１１０へ戻って上述の処理が繰り返され、ステップ１４４の判定が肯定されたところで、一連のメイン制御部１０による処理が終了する。
【００８１】
このように、本実施の形態に係わる画像記録装置１４０は、複数の印刷ユニット１４２を備えており、電源投入時には、まず、印刷ユニットＡ１４２のみが待機モードとなり、他の印刷ユニット１４２は、スリープモードになる。すなわち、１つの印刷ユニットＡ１４２以外の印刷ユニット１４２は、必要最小限の通電状態とされるので、画像記録装置１４０の待機時の消費電力を低減することができる。
【００８２】
詳細には、本実施の形態に係わる画像記録装置１４０は、図８（Ａ）に示すように、従来の画像記録装置（全ての印刷ユニットを待機モードに設定する場合）に約９５ｗの消費電力であったものを、約５１ｗに低減することができる。また、電子写真方式の印刷ユニットを適用した場合には、図８（Ｂ）に示すように、従来の画像記録装置では約２２０ｗの消費電力が必要だった物を、本実施形態のように待機モード及びスリープモードを制御することにより約１６０ｗの消費電力に低減することができる。
【００８３】
また、この時、１つの印刷ユニットＡ１４２は待機モードであるため、印刷データを受信して印刷を行う際に、直ぐに、印刷を行うことができる。従って、スリープモードの印刷ユニット１４２が印刷できる状態になるまでの時間は、印刷ユニットＡ１４２による印刷が可能であるので、ファーストプリントの印刷時間が遅くなってしまうのを防止することができる。
【００８４】
なお、上記の実施の形態では、印刷ユニット１４２の印刷方式としては、インクジェット方式を適用したが、これに限るものではなく、例えば、電子写真方式の印刷方式を適用するようにしてもよいし、サーマル方式の印刷方式を適用するようにしてもよいし、さらには、各印刷ユニット毎に異なる印刷方式を適用するようにしてもい。電子写真方式に適用した場合には、定着部のウォームアップ時の電力を節電できるので、インクジェット方式よりも節電効果が大きくなる。
【００８５】
また、本実施の形態では、１つの印刷ユニットＡ１４２を待機モードにして、他の印刷ユニット１４２をスリープモードとするようにしたが、これに限るものではなく、例えば、２台以上の印刷ユニット１４２を待機モードにして、他の印刷ユニット１４２をスリープモードにするようにしてもよい。すなわち、少なくとも１つの印刷ユニット１４２を待機モードとして他の印刷ユニットをスリープモードにすることによって、始めの印刷までの時間を犠牲にすることなく、消費電力を低減することができる。
【００８６】
また、本実施の形態では、印刷データが所定量以上の場合に、全ての印刷ユニット１４２を待機モードとなるように制御したが、これに限るものではなく、例えば、印刷データ量（ページ数等）に応じて、スリープモードを解除して待機モードに設定する印刷ユニット数を可変にしてもよい。具体的には、１０台の印刷ユニット１４２を備えた場合に、印刷データが８頁の時には８台の印刷ユニット１４２を待機モードとし、９頁のときには９台の印刷ユニット１４２を待機モードにする等のように、印刷データ量に応じて待機モードにする印刷ユニット数を可変するようにしてもよい。
【００８７】
さらに、本実施の形態では、ユニット化した複数の印刷ユニット１４２を備える構成を適用した例を示したが、これに限るものではなく、ユニット化せずに、１つの装置内に複数の印刷部３４を含む構成に本発明を適用するようにしてもよい。
【図面の簡単な説明】
【００８８】
【図１】本発明の実施の形態に係わる画像記録装置の構成を示す側面図である。
【図２】本発明の実施の形態に係わる画像記録装置のユニット単位で分離した状態を示す側面図である。
【図３】（Ａ）は本発明の実施の形態に係わる画像記録装置における印刷ユニットの構成を示す側面図であり、（Ｂ）印刷ユニットにおけるガイドレバーの動作を示す側面図である。
【図４】印刷ユニットの構成を示す側面図である。
【図５】本発明の実施の形態に係わる画像記録装置の制御系の構成を示すブロック図である。
【図６】印刷ユニットの制御系の詳細な構成の一例を示すブロック図である。
【図７】本発明の実施の形態に係わる画像記録装置のメイン制御部で行われる処理の流れを示すフローチャートである。
【図８】本発明の実施の形態に係わる画像記録装置の消費電力と従来の画像記録装置の消費電力を比較するための図である。
【符号の説明】
【００８９】
１０    メイン制御部
１１、１６０    入出力Ｉ／Ｆ
７０    排紙ユニット
９０    印刷制御部
９６    給紙制御部
９８    排紙制御部
１４２    印刷ユニット
１７０    給紙ユニット
１５０    主走査駆動系モータ
１５２    副走査駆動系モータ
１５４    記録紙乾燥ヒータ
１５６    表示装置
【図１】
2005088396.tif 000003
【図２】
2005088396.tif 000004
【図３】
2005088396.tif 000005
【図４】
2005088396.tif 000006
【図５】
2005088396.tif 000007
【図６】
2005088396.tif 000008
【図７】
2005088396.tif 000009
【図８】
2005088396.tif 000010